(57)【特許請求の範囲】
【請求項１】
容器に装着される本体と該本体に装着される外蓋とを具備し、該本体は容器の口部を閉塞する円形閉塞壁及び該閉塞壁の外周縁から上方に延出する円筒形装着壁を有し、該閉塞壁には除去領域を規定する破断可能な円形薄肉ラインが形成されていると共に該除去領域から上方に突出する被係合手段が配設されており、該装着壁の外周面には雄螺条が形成されており、該外蓋は天面壁及び該天面壁から垂下するスカート壁を有し、該スカート壁の内周面には該雄螺条と協働する雌螺条が形成されており、該天面壁の内面には該被係合手段と係合する係合手段が配設されており、該本体の該閉塞壁には、該円形薄肉ラインの半径方向内側を該円形薄肉ラインと同心状に延びる破断可能な弧状薄肉ラインと共に、該雄螺条と該雌螺条の螺合を解除する際の該本体に対する該外蓋の開回転方向に見て該弧状薄肉ラインの上流端を該円形薄肉ラインに接続する破断可能な接続薄肉ラインが形成されている容器蓋において、
該本体の該被係合手段は、該接続薄肉ラインに隣接して該開回転方向に見て該弧状薄肉ラインの上流端部と該円形薄肉ラインとの間から上方に延びる柱から構成されており、
該外蓋の該係合手段は、該天面壁から垂下する筒から構成されており、
該筒の該開回転方向に見て下流側に位置する前壁と上流側に位置する後壁の間隔は該柱の該開回転方向幅よりも大きく且つ該筒の該後壁の下端は該柱の上部に対向して位置し、該柱の上部が該筒の下部内に挿入された状態で該本体に対して該外蓋が該開回転方向に回転せしめられると、該筒の該後壁の作用によって該柱は上方に向かって該開回転方向側に傾斜する状態に傾動せしめられる、
ことを特徴とする容器蓋。
【請求項２】
該本体の該閉塞壁にはその中心から上方に延出する被係止手段が配設され、該外蓋の該天面壁にはその中心から垂下する係止手段が配設されており、該本体に該外蓋が装着されると該係止手段と該被係止手段との協働によって該本体に対して該外蓋が上方に所定範囲を超えて相対的に変位することが阻止される、請求項１記載の容器蓋。
【請求項３】
該柱は角柱であり、該筒は角筒である、請求項１又は２記載の容器蓋。
【請求項４】
該角柱の上端には、該角柱の上部が該角筒の下部に挿入された状態で該開回転方向に見て両側縁から下方に向かって両側に傾斜して延びる一対の突出フラップ片が付設されており、該角筒の下端には、該角柱の上部が該角筒の下部に挿入された状態で該開回転方向に見て両側縁から上方に向かって両側に傾斜して延びる一対の垂下フラップ片が付設されており、該突出フラップ片と該垂下フラップ片との協働によって該角筒に対して該角柱が下方に所定範囲を超えて相対的に変位することが阻止される、請求項３記載の容器蓋。
【発明の詳細な説明】
【技術分野】
【０００１】
本発明は、容器に装着される本体とこの本体に装着される外蓋とを具備し、容器の口部を閉塞する本体の閉塞壁には除去領域を規定する円形薄肉ラインが形成されている形態の容器蓋に関する。
【背景技術】
【０００２】
液体飲料或いは醤油、食用油及びドレッシングの如き液体調味料のための容器蓋として、下記特許文献１には、容器に装着される本体とこの本体に装着される外蓋とを具備する容器蓋が開示されている。本体は容器の口部を閉塞する円形閉塞壁及びこの閉塞壁の外周縁から上方に延出する円筒形装着壁を有し、閉塞壁には除去領域を規定する円形薄肉ラインが形成されていると共に除去領域から上方に突出する被係合手段が配設されており、装着壁の外周面には雄螺条が形成されている。外蓋は天面壁とこの天面壁から垂下するスカート壁を有し、スカート壁の内周面には雄螺条と協働する雌螺条が形成されており、天面壁の内面には被係合手段と協働する係合手段が配設されている。本体の閉塞壁には、上記円形薄肉ラインに加えて円形薄肉ラインの半径方向内側を円形薄肉ラインと同心状に延びる破断可能な弧状薄肉ラインと共に、雄螺条と雌螺条の螺合を解除する際の本体に対する外蓋の開回転方向に見て弧状薄肉ラインの上流端を円形薄肉ラインに接続する破断可能な接続薄肉ラインも形成されている。本体の被係合手段は球状頭部を有するピンから構成されており、外蓋の係合手段は上記球状頭部に係合する係合凹部を有する係合突起から構成されている。
【０００３】
上記のとおりの容器蓋においては、本体の装着壁に形成されている雄螺条に外蓋のスカート壁に形成されている雌螺条を所要とおりに螺合せしめて外蓋を本体に装着した状態において、外蓋を開回転方向、即ち本体の雄螺条と外蓋の雌螺条との螺合を解除する方向、に外蓋を回転せしめると、被係合手段を構成するピンの球状頭部に係合手段を構成する係合突起の係合凹部が係合し、ピンに開回転方向の力が加えられ、これによって接続薄肉ラインが破断され、これに続いて円形薄肉ライン及び弧状薄肉ラインが開回転方向に見て上流側から下流側に向けて漸次破断され、かくして除去領域が閉塞壁から分離される。
【先行技術文献】
【特許文献】
【０００４】
【特許文献１】特開２０００−２２９６５５号公報
【発明の概要】
【発明が解決しようとする課題】
【０００５】
而して、上述したとおりの形態の容器蓋には次のとおりの解決すべき課題が存在する。接続薄肉ラインを破断し、これに続いて円形薄肉ライン及び弧状薄肉ラインを漸次に破断する際に、外蓋の係合手段から本体の被係合手段に加えられる力は実質上水平方向であり、接続薄肉ライン、円形薄肉ライン及び弧状薄肉ラインに対して剪断方向の力が充分に生成されず、それ故に接続薄肉ライン、円形薄肉ライン及び弧状薄肉ラインの破断が必ずしも円滑に実行されない傾向がある。
【０００６】
本発明は上記事実に鑑みてなされたものであり、その主たる技術的課題は、本体に対して外蓋を開回転方向に回転せしめると、接続薄肉ライン、円形薄肉ライン及び弧状薄肉ラインに剪断方向の力が効果的に生成され、接続薄肉ライン、円形薄肉ライン及び弧状薄肉ラインが充分円滑且つ容易に所要とおりに破断される、新規且つ改良された容器蓋を提供することである。
【課題を解決するための手段】
【０００７】
本発明者は、鋭意研究の結果、本体の被係合手段を接続薄肉ラインに隣接して開回転方向に見て弧状薄肉ラインの上流端部と円形薄肉ラインとの間から上方に延びる柱から構成すると共に、外蓋の係合手段を天面壁から垂下する筒から構成し、筒の開回転方向に見て下流側に位置する前壁と上流側に位置する後壁の間隔を柱の開回転方向幅よりも大きくし且つ筒の後壁の下端を柱の上部に対向して位置せしめ、柱の上部が筒の下部内に挿入された状態で本体に対して外蓋が開回転方向に回転せしめられると、筒の後壁の作用によって柱が上方に向かって開回転方向側に傾斜する状態に傾動せしめられるようになすことによって、上記主たる技術的課題を達成することができることを見出した。
【０００８】
即ち、本発明によれば、上記主たる技術的課題を達成する容器蓋として、容器に装着される本体と該本体に装着される外蓋とを具備し、該本体は容器の口部を閉塞する円形閉塞壁及び該閉塞壁の外周縁から上方に延出する円筒形装着壁を有し、該閉塞壁には除去領域を規定する破断可能な円形薄肉ラインが形成されていると共に該除去領域から上方に突出する被係合手段が配設されており、該装着壁の外周面には雄螺条が形成されており、該外蓋は天面壁及び該天面壁から垂下するスカート壁を有し、該スカート壁の内周面には該雄螺条と協働する雌螺条が形成されており、該天面壁の内面には該被係合手段と係合する係合手段が配設されており、該本体の該閉塞壁には、該円形薄肉ラインの半径方向内側を該円形薄肉ラインと同心状に延びる破断可能な弧状薄肉ラインと共に、該雄螺条と該雌螺条の螺合を解除する際の該本体に対する該外蓋の開回転方向に見て該弧状薄肉ラインの上流端を該円形薄肉ラインに接続する破断可能な接続薄肉ラインが形成されている容器蓋において、
該本体の該被係合手段は、該接続薄肉ラインに隣接して該開回転方向に見て該弧状薄肉ラインの上流端部と該円形薄肉ラインとの間から上方に延びる柱から構成されており、
該外蓋の該係合手段は、該天面壁から垂下する筒から構成されており、
該筒の該開回転方向に見て下流側に位置する前壁と上流側に位置する後壁の間隔は該柱の該開回転方向幅よりも大きく且つ該筒の該後壁の下端は該柱の上部に対向して位置し、該柱の上部が該筒の下部内に挿入された状態で該本体に対して該外蓋が該開回転方向に回転せしめられると、該筒の該後壁の作用によって該柱は上方に向かって該開回転方向側に傾斜する状態に傾動せしめられる、
ことを特徴とする容器蓋が提供される。
【０００９】
好適実施形態においては、該本体の該閉塞壁にはその中心から上方に延出する被係止手段が配設され、該外蓋の該天面壁にはその中心から垂下する係止手段が配設されており、該本体に該外蓋が装着されると該係止手段と該被係止手段との協働によって該本体に対して該外蓋が上方に所定範囲を超えて相対的に変位することが阻止される。好ましくは、該柱は角柱であり、該筒は角筒であり、そして該角柱の上端には、該角柱の上部が該角筒の下部に挿入された状態で該開回転方向に見て両側縁から下方に向かって両側に傾斜して延びる一対の突出フラップ片が付設されており、該角筒の下端には、該角柱の上部が該角筒の下部に挿入された状態で該開回転方向に見て両側縁から上方に向かって両側に傾斜して延びる一対の垂下フラップ片が付設されており、該突出フラップ片と該垂下フラップ片との協働によって該角筒に対して該角柱が下方に所定範囲を超えて相対的に変位することが阻止される。
【発明の効果】
【００１０】
本発明の容器蓋においては、本体に対して外蓋を開回転方向に回転せしめると、筒の後壁の作用によって柱が上方に向かって開回転方向側に傾斜する状態に傾動せしめられて開回転方向下流側に強制され、柱が傾動せしめられることに起因して接続薄肉ライン、円形薄肉ライン及び弧状薄肉ラインには剪断方向の力が効果的に生成され、かくして接続薄肉ライン、円形薄肉ライン及び弧状薄肉ラインが充分円滑且つ容易に所要とおりに破断される。
【図面の簡単な説明】
【００１１】
【図１】容器蓋における本体の斜面図。
【図２】図１の容器蓋における本体の断面図。
【図３】図１の容器蓋における本体の平面図。
【図４】図１の容器蓋における外蓋の係止片を変形せしめた状態での下方から見た斜面図。
【図５】図１の容器蓋における外蓋の成形直後の断面図。
【図６】本発明に従って構成された容器蓋の好適実施形態の断面図。
【図７】容器の口頸部に装着された、本発明の容器蓋の好適実施形態において、外蓋を開回転方向に回転せしめる際の角柱と角筒の挙動を示す断面図。
【００１２】
以下、本発明に従って構成された容器蓋の好適実施形態を示す添付図面を参照して、更に詳細に説明する。
【００１３】
本発明に従って構成された容器蓋の好適実施形態は、図１乃至図３に示す本体２と図４及び図５に示す外蓋４とから構成される。
【００１４】
図１乃至図３を参照して説明すると、ポリエチレン又はポリプロピレンの如き適宜の合成樹脂から射出又は圧縮成形することができる本体２は、全体として水平に延在する円形閉塞壁６を有する。この閉塞壁６には破断可能な円形薄肉ライン８が形成されており、この円形薄肉ライン８によって除去領域１０が規定されている。閉塞壁６には、更に、円形薄肉ライン８の半径方向内側を円形薄肉ライン８と同心状に延びる破断可能な弧状薄肉ライン１２と、弧状薄肉ライン１２の図３における時計方向下流端（本体２に対する外蓋４の開回転方向上流端）と円形薄肉ライン８とを接続する破断可能な接続薄肉ライン１４が形成されている（特に図３を参照されたい）。閉塞壁６の上面には、閉塞壁６の外周縁から上方に延出する円筒形装着壁１６とこの装着壁１６よりも半径方向内側の位置より上方に延出する円筒形注出壁１８とが形成されている。装着壁１６の外周面には後述する外蓋４に形成された雌螺条と協働する雄螺条２０が形成されている。注出壁１８は装着壁１６よりも上方に延出し、その上端は内容物を消費する際に内容物を注出しやすいように外側にカールせしめられている。閉塞壁６の下面には、閉塞壁６の外周縁から下方に延出する環状シール片２２が形成されている。シール片２２は、下方に向かって垂直に延び、次いで下方に向かって半径方向内方に傾斜して延びる外周面と、下方に実質上鉛直に延びる内周面とを有する。更に、装着壁１６とシール片２２との境界領域から半径方向外方に延びる環状フランジ２４、この環状フランジ２４の外周縁から下方に略円筒形状の外側壁２６も配設されている。この外側壁２６の内周面下部には環状突条２８が形成されており、外周面下部には下方を向いた係止肩面３０が形成されている。
【００１５】
上記閉塞壁６の上面には更に被係合手段３２及び被係止手段３４が配設されている。被係合手段３２は接続薄肉ライン１４に隣接して開回転方向に見て弧状薄肉ライン１２の上流端部と円形薄肉ライン８との間から上方に延出する形態であることが重要である。図示の実施形態において被係合手段３２はその断面形状が矩形の角柱３６から構成される。被係合手段３２の上端には開回転方向（即ち図１及び図３において時計方向上流側）に見て両側縁より閉塞壁６から離隔する方向（即ち上方）に向かって相互に離隔する方向に傾斜して延びる一対の突出フラップ片３８が形成されている（特に図1及び図２を参照されたい）。一対の突出フラップ片３８の少なくとも基端部（角柱３６に接続された下端部）は薄片から構成されていて充分容易に撓んで変形せしめられることが重要である。一対の突出フラップ片３８は、後に言及する如く、外蓋４に形成されている一対の垂下フラップ片と協働する。また、被係止手段３４は閉塞壁６の中央より上方に延出する略円筒形であって、その上端部には後述する外蓋４の係止手段に形成される突条と協働する半径方向外方に突出した環状突条４０が形成されている。図示の実施形態における被係止手段３４はその基端部より突条４０を除く先端部に向かって漸次薄くせしめられている。
【００１６】
図４及び図５を参照して説明を続けると、本体２と同様にポリエチレン又はポリプロピレンの如き適宜の合成樹脂から射出又は圧縮成形することができる外蓋４は、円形天面壁４２及びこの天面壁４２の外周縁から垂下する全体として略円筒形状のスカート壁４４を有する。図示の実施形態においては、スカート壁４４は天面壁４２の外周縁から垂下する円筒形状の上部４６、上部４６に続いて下方に向かって半径方向外方に傾斜して延びる略円錐台形状の中間部４８、及び中間部４８に続いて垂下する円筒形状の下部５０を有する。中間部４８の内周面には実質上水平に延在する下方を向いた環状肩面５２が形成されている。上部４６の外周面にはそこに掛けられる指の滑りを防止するための凹凸形状５４が形成されている。上部４６の内周面には本体２の装着壁１６に形成された雄螺条２０と協働する雌螺条５６が形成されている。下部５０の軸線方向中間部には周方向に延びる破断ライン５８が形成されており、下部５０の下半部にはタンパーエビデント裾部６０が規定されている。破断ライン５８は周方向に間隔をおいて周方向に延びる弧状スコア６２と弧状スコア６２間に存在する橋絡部６４から構成されている。タンパーエビデント裾部６０の内周面下部には半径方向内方に向かって下方に延出する環状係止片６６が配設されている。
【００１７】
天面壁４２の内面外周縁部に略円筒形状のシール片６８が形成されている。シール片６８は外蓋４を本体２に装着せしめた際に注出壁１８の内周面と密接せしめられるのに充分な長さを有する。天面壁４２の内面には、更に、シール片６８よりも半径方向内側において係合手段７０及び係止手段７２が配設されている。係合手段７０は天面壁４２から垂下する形態であることが重要である。図示の実施形態において係合手段７０はその断面形状が矩形の角筒７４から構成される。図４及び図５に示されるとおり、角筒７４は開回転方向に見て下流側（即ち紙面手前側）に形成される前壁７４ａと、前記方向に見て下流側（即ち紙面奥側）に形成される後壁７４ｂと、前記方向に見て両側に形成される側壁７４ｃと、から形成されている。前壁７４ａ及び後壁７４ｂは何れも長方形であるが、後壁７４ｂは前壁７４ａよりも天面壁４２から垂下する長さが比較的短く、更に比較的厚肉にせしめられている。前壁７４ａと後壁７４ｂの間隔は角柱３６の開回転方向幅よりも幾分大きくせしめられ、半径方向に対向する側壁７４ｃの間隔は角柱３６の半径方向幅よりも幾分大きくせしめられている。また図５で明確に示されるとおり、角筒７４の下端には開回転方向に見て両側縁より天面壁４２から離隔する方向（即ち下方）に向かって垂直に延びる一対の垂下フラップ片７６が形成されている。一対の垂下フラップ片７６の少なくとも基端部（角筒７４に接続された上端部）は薄片から構成されていて充分容易に撓んで変形せしめられることが重要である。一対の垂下フラップ片７６は、先に言及した本体２に形成されている一対の突出フラップ片３８と協働する。また、係止手段７２は天面壁４２の中央より下方に延出する円筒形であってその下端部には上述した被係止手段３４に形成された環状突条４０と協働する半径方向内方に突出した環状突条７８が形成されている。図示の実施形態における係止手段７２はその基端部より突条７８を除く先端部に向かって漸次薄くせしめられている。
【００１８】
上述した通りの本体２と外蓋４とは、本体２の被係止手段３４と外蓋６の係止手段７２及び本体２の角柱３６と外蓋４の角筒７４とを整合せしめて、図６に図示する如く外蓋４の環状肩面５２が本体２の環状フランジ２４に当接する位置まで、本体２に対して外蓋４を強制的に下降せしめることによって組み合わせられる。かくすると、図６に図示する如く、外蓋４の雌螺条５６は本体２の雄螺条２０を弾性的に乗り越えてこれに螺合される。外蓋４のタンパーエビデント裾部６０の内周面に形成されている係止片６６は、本体２に外蓋４を組み合わせるのに先立って、半径方向内方に向かって下方に延出する状態から、半径方向内方に向かって上方に延出する状態に変形せしめられ、本体２の外側壁２６の外周面に形成されている係止肩面３０の下方に位置せしめられる。或いは、本体２に外蓋４を組み合わせるのに先立って、半径方向内方に向かって下方に延出する係止片６６を、半径方向内方に向かって上方に延びる状態に変形することもできる。外蓋４のシール片６８は本体２の注出壁１８内に進入して注出壁１８の内面に密接せしめられる。また、本体２の被係止手段３４がその基端部より突条４０を除く先端部に向かって漸次薄くせしめられ、且つ、外蓋４の係止手段７２がその基端部より突条７８を除く先端部に向かって漸次薄くせしめられていることに起因し、本体２の被係止手段３４が外蓋４の係止手段７２の下端に形成された環状突条７８を弾性的に乗り越え円滑に係止手段７２内に進入せしめられる。また、被係合手段３２と係合手段７０は相互作用する。更に詳しくは、被係合手段３２の角柱３６が係合手段７０の角筒７４内に進入し、被係合手段３２の一対の突出フラップ片３８は閉塞壁６から離隔する方向に向かって相互に離隔する方向に傾斜して延びる状態から閉塞壁６に接近する方向に向かって相互に離隔する方向に傾斜して延びる方向に延びる状態に変形され、係合手段７０の一対の垂下フラップ片７６は天面壁４２の内面から垂直に延びる状態から天面壁４２の内面に接近する方向に向かって相互に接近する方向に延びる状態に変形せしめられる。必要ならば、本体２に外蓋４を組み合わせるのに先立って、被係合手段３２の一対の突出フラップ片３８を閉塞壁６から離隔する方向に向かって相互に離隔する方向に傾斜して延びる状態から閉塞壁６に接近する方向に向かって相互に離隔する方向に傾斜して延びる状態に変形し、そしてまた係合手段７０の一対の垂下フラップ７６を垂直に延びる状態から天面壁４２の内面に接近する方向に向かって相互に接近する方向に延びる状態に変形することもできる。そして、一対の突出フラップ片３８が一対の垂下フラップ片７６を通過せしめられる。本体２に対して外蓋４が所要位置、即ち、図６に図示する位置、まで下降せしめられると、本体４の外周面に形成された環状肩面３０の上端に外蓋４の環状係止片６６が係止せしめられ、これにより本体２と外蓋４とが相互に拘束される。図６に図示する状態において、被係合手段３２の一対の突出フラップ片３８は係合手段７０の一対の垂下フラップ片７６に対して若干の間隔をおいて上方に位置するのが好都合である。更に、図６に図示する状態において、角柱３６の開回転方向の下流側面及び上流側面はいずれも角筒７４の前壁７４ａ及び後壁７４ｂに対して若干の間隔を有し、角筒７４の後壁７４ｂの下端を角柱３６の上部に対向して位置せしめられるのが好都合である。
【００１９】
図６には本発明に従って構成された容器蓋が適用される容器の口頸部８０も図示されている。全体として円筒形状である口頸部８０の外周面上部には半径方向外方に膨出せしめられた係止あご部８２が形成されている。この係止あご部８２の下方には周知であるサポートリング８４も形成されている。図６に図示する通りの状態に組み合わされた容器蓋は口頸部８０に被嵌して図６に図示する位置まで強制的に下降せしめることによって口頸部８０に装着される。この際には、本体２の外側壁２６の内周面に形成されている環状係止突条２８が口頸部８０の係止あご部８２を弾性的に乗り越えてこれに係止される。
【００２０】
容器の内容物を消費する際には、外蓋４のスカート壁４４に指を掛けて、本体２に装着されている外蓋４を開方向（図６において上方から見て反時計方向）に回転する。外蓋４を開回転方向に回転せしめると、図７ｂに図示する如く外蓋４の角筒７４は図７ｂにおける右方向に移動せしめられ、それにより角筒７４の後壁７４ｂが角柱３６の図７ｂにおける左側（開回転方向上流側）面に当接する。図７ｂに示す状態から更に開回転方向に外蓋４を回転せしめると、図７ｃに図示する如く角筒７４の後壁７４ｂの下端部より角柱３６の上端部に力が加えられることで角柱３６は図７ｃにおける右側（開回転方向下流側）に傾動せしめられ、角柱３６の図７ｃにおける右側（開回転方向下流側）面の上端が角筒７４の前壁７４ａ内面に当接せしめられる。角筒７４の後壁７４ｂは比較的厚肉であるため、外蓋４を回転せしめる際に加えられる力の角柱３６からの反力により変形せしめられることなく角柱３６に力を加えることができる。図７ｃに図示する状態から更に開回転方向に外蓋４を回転せしめると角柱３６には角筒７４の後壁７４ｂより図７ｄにおける左側（開回転方向上流側）に更なる力が加えられることにより、角柱３６は図７ｄにおける右側（開回転方向下流側）に更に傾動せしめられる。この際、角柱３６の上端は相対的に下方に移動せしめられ角柱３６は角筒７４から退去しようとするが、角柱３６の上端に形成された一対の突出フラップ片３８と角筒７４の下端に形成された一対の垂下フラップ片７６との係合により角柱３６は角筒７４に拘束されるため、角柱３６は角筒７４より退去できない。従って開回転方向に外蓋４を回転せしめると、角筒７４により拘束された角柱３６は閉塞壁６より上方且つ図７ｄにおける右側（開回転方向下流側）方向に傾斜した方向に引っ張られ、それにより傾動する角柱３６の図７ｄにおける左側（開回転方向上流側）の基端部に剪断力が集中し、図７ｄに図示する如くかかる位置に形成された接続薄肉ライン１４が破断せしめられる。図７ｄに図示する状態から更に前記方向に外蓋４を回転せしめると、図７ｅに図示する如く角柱３６は角筒７４と一体となって円形薄肉ライン８及び弧状薄肉ライン１２を破断せしめながら図７ｅにおける右側（開回転方向下流側）に移動せしめられる。従って外蓋４を開回転方向に回転せしめることで角柱３６及び角筒７４が開回転方向に回転せしめられ、それにより全周に渡って円形薄肉ライン８及び弧状薄肉ライン１２が破断せしめられると、閉塞壁６から除去領域１０が除去せしめられて排出口が形成される。かくして接続薄肉ライン１４、円形薄肉ライン８及び弧状薄肉ライン１２が充分円滑且つ容易に所要とおりに破断される。
【００２１】
外蓋４を開回転方向に回転せしめるに従って本体２の装着壁１６の外周面に形成された雄螺条２０と外蓋４のスカート壁４４における上部４６内周面に形成された雌螺条５６との螺合が漸次解除せしめられることにより、外蓋４は漸次上昇せしめられる。しかし図示の実施例においては、外蓋４のスカート壁４４の下部５０に規定されたタンパーエビデント裾部６０はその内周面下端部に係止片６６が形成されているため、係止片６６が本体２の外側壁２６の外周面下端部に形成された係止肩面３０の上端に係止せしめられると、以後のタンパーエビデント裾部６０の上昇は阻止される。それにより、更に外蓋４を開回転方向に回転せしめるとスカート壁４４のタンパーエビデント裾部６０を除く部分のみが漸次上方に変位することとなり、スカート壁４４に形成された周方向破断ライン５８の橋絡部６４に剪断力が集中し、橋絡部６４は破断せしめられる。所望ならばタンパーエビデント裾部６０に軸線方向に延びる付加破断ラインを形成し、外蓋４を開封する際には周方向破断可能ライン５８における橋絡部６４が局部的に破断されることなく残留せしめられてタンパーエビデント裾部６０はスカ−ト壁４４に接続され続け、タンパーエビデント裾部６０の付加破断ラインが破断されてタンパーエビデント裾部６０が有端帯状に展開されて係止肩面３０に対する係止片６６の係止が解除され、タンパーエビデント裾部６０を含む外蓋４の全体が本体２から離脱されるようになすこともできる。
【００２２】
本体２の閉塞壁６より除去領域１０が切り取られ、外蓋４のタンパーエビデント裾部６０に形成された橋絡部６４が破断せしめられた後、更に外蓋４を開回転方向に回転せしめると外蓋４の天面壁４２及びタンパーエビデント裾部６０を除くスカート壁４４は回転と共に自由に上昇せしめられ、本体２より完全に分離される。その際、切り取られた除去領域１０と外蓋４は被係合手段３２を構成する角柱３６と係合手段７０を構成する角筒７４による係合だけでなく、本体２に形成された被係止手段３４と外蓋４に形成された係止手段７２とも係止せしめられているため、切り取られた除去領域１０は外蓋４から離脱することなく外蓋４と共に本体２から分離せしめられ、破断して細長く延びた除去領域１０を安定して持ち上げることができる。しかる後においては本体２の閉塞壁６に生成された排出口を通して内容物を排出することができる。内容物の必要量の排出が終了した後においては、必要に応じて角柱３６と被係止手段３４を含む除去領域１０を外蓋４から離脱して、外蓋４を本体２に被嵌し、次いで閉方向に回転せしめて外蓋４のスカート壁４４の上部４６内周面に形成されている雌螺条５６を本体２の装着壁１６の外周面に形成されている雄螺条２０に螺合せしめて本体２に再び外蓋４を装着し、排出口を閉じることができる。外蓋４の円筒形状シール片６８の外周面上端部が本体２の注出壁１８の上端部内周面に密接せしめられ、これによって密封効果が達成される。
【符号の説明】
【００２３】
２：本体
４：外蓋
６：閉塞壁
８：円形薄肉ライン
１０：除去領域
１２：弧状薄肉ライン
１４：接続薄肉ライン
３２：被係合手段
３４：被係止手段
３６：角柱
３８：突出フラップ片
４２：天面壁
４４：スカート壁
７０：係合手段
７２：係止手段
７４：角筒
７６：垂下フラップ片
８０：口頸部
【図１】
0006018776.tif 000002
【図２】
0006018776.tif 000003
【図３】
0006018776.tif 000004
【図４】
0006018776.tif 000005
【図５】
0006018776.tif 000006
【図６】
0006018776.tif 000007
【図７】
0006018776.tif 000008